(57)【特許請求の範囲】
【請求項１】
印刷機器を駆動するモータと、
前記モータの外周部に設けられる空気流路と、
前記空気流路の入口側に設けられて前記空気流路に冷却空気を流すファンと、
前記空気流路から排出された冷却空気を前記印刷機器が収容された収容空間部の一方側から他方側に向けて導入する冷却空気導入流路と、
を有することを特徴とする印刷機の空調システム。
【請求項２】
前記モータの外周側に外筒が設けられることで前記モータと前記外筒との間に前記モータの軸心方向に沿って前記空気流路が形成されることを特徴とする請求項１に記載の印刷機の空調システム。
【請求項３】
前記冷却空気導入流路は、前記空気流路の出口側に設けられるチャンバと、基端部が前記チャンバに連結されて先端部が収容空間部に連通する冷却空気導入管とを有することを特徴とする請求項１または請求項２に記載の印刷機の空調システム。
【請求項４】
一対の印刷機フレームの間に前記収容空間部としての印刷機収容空間部が設けられ、前記印刷機器は、前記印刷機収容空間部に配置される印刷ユニットのローラ群であり、前記モータは、前記印刷機収容空間部の外側で一方側の前記印刷機フレームに配置されて前記ローラ群を駆動回転可能であり、前記冷却空気導入流路は、一端部が前記空気流路に連通し、他端部が前記一方側の印刷機フレームの作業開口部を通して前記印刷機収容空間部に連通することを特徴とする請求項１から請求項３のいずれか一項に記載の印刷機の空調システム。
【請求項５】
他方側の前記印刷機フレームの作業開口部を通して前記印刷機収容空間部に導入された冷却空気を外部に排出する排出装置が設けられることを特徴とする請求項４に記載の印刷機の空調システム。
【請求項６】
印刷機器を駆動するモータと、
前記モータの外周部に設けられる空気流路と、
前記空気流路に冷却空気を流すファンと、
前記空気流路から排出された冷却空気を前記印刷機器が収容された収容空間部の一方側から他方側に向けて導入する冷却空気導入流路と、
を有し、
一対の印刷機フレームの間に前記収容空間部としての印刷機収容空間部が設けられ、前記印刷機器は、前記印刷機収容空間部に配置される印刷ユニットのローラ群であり、前記モータは、前記印刷機収容空間部の外側で一方側の前記印刷機フレームに配置されて前記ローラ群を駆動回転可能であり、前記冷却空気導入流路は、一端部が前記空気流路に連通し、他端部が前記一方側の印刷機フレームの作業開口部を通して前記印刷機収容空間部に連通し、
他方側の前記印刷機フレームの作業開口部を通して前記印刷機収容空間部に導入された冷却空気を外部に排出する排出装置が設けられ、
前記排出装置は、冷却空気を給紙装置が収容される給紙装置収容空間部に排出する、
を特徴とする印刷機の空調システム。
【請求項７】
印刷機器を駆動するモータと、
前記モータの外周部に設けられる空気流路と、
前記空気流路に冷却空気を流すファンと、
前記空気流路から排出された冷却空気を前記印刷機器が収容された収容空間部の一方側から他方側に向けて導入する冷却空気導入流路と、
を有し、
一対の折機フレームの間に前記収容空間部としての折機収容空間部が設けられ、前記印刷機器は、前記折機収容空間部に配置される折機の鋸胴または折胴であり、前記モータは、前記折機収容空間部の外側で一方側の前記折機フレームに配置されて前記鋸胴または折胴を駆動回転可能であり、前記冷却空気導入流路は、一端部が前記空気流路に連通し、他端部が前記折機収容空間部に連通する、
ことを特徴とする印刷機の空調システム。
【請求項８】
空気を所定の温度に調節する空調装置と、前記空調装置により温度調節された冷却空気を前記ファンに導く冷却空気供給流路とが設けられることを特徴とする請求項１から請求項７のいずれか一項に記載の印刷機の空調システム。
【請求項９】
前記ファンの空気取込口にチャンバが装着され、前記冷却空気供給流路が前記チャンバに連結されることを特徴とする請求項８に記載の印刷機の空調システム。
【請求項１０】
前記冷却空気供給流路は、冷却空気の供給及び停止する開閉装置が設けられることを特徴とする請求項８または請求項９に記載の印刷機の空調システム。
【請求項１１】
前記冷却空気供給流路は、鉛直方法に沿って配置される給気ダクトと、前記給気ダクトと前記ファンとを連通する連通管とを有することを特徴とする請求項８から請求項１０のいずれか一項に記載の印刷機の空調システム。
【請求項１２】
印刷機器を駆動するモータと、
前記モータの外周部に設けられる空気流路と、
前記空気流路に冷却空気を流すファンと、
前記空気流路から排出された冷却空気を前記印刷機器が収容された収容空間部の一方側から他方側に向けて導入する冷却空気導入流路と、
を有し、
空気を所定の温度に調節する空調装置と、前記空調装置により温度調節された冷却空気を前記ファンに導く冷却空気供給流路とが設けられ、
前記冷却空気供給流路は、鉛直方法に沿って配置される給気ダクトを有し、前記モータ及び前記ファンが前記給気ダクト内に配置される、
ことを特徴とする印刷機の空調システム。
【請求項１３】
巻取紙からウェブを供給する給紙装置と、
前記給紙装置から繰り出されたウェブに画像を印刷する印刷装置と、
前記印刷装置により印刷が施されたウェブを重ねると共に断裁してから折り畳むことで折帖を形成する折機と、
請求項１から請求項１２のいずれか一項の印刷機の空調システムと、
を有することを特徴とする印刷機。
【発明の詳細な説明】
【技術分野】
【０００１】
本発明は、駆動モータにより駆動される各種の印刷機器を有する印刷機の空調システムと、この印刷機の空調システムを有する印刷機に関するものである。
【背景技術】
【０００２】
例えば、新聞用オフセット輪転印刷機は、複数の給紙ユニットを有する給紙装置と、複数の印刷ユニットを有する印刷機と、ウェブパス装置と、折機とから構成されている。そして、各給紙ユニットは対応する印刷ユニットにウェブを供給し、各印刷ユニットは各ウェブに対して印刷を行い、ウェブパス装置は印刷済のウェブを縦断裁して所定の順番に重ね合わせ、折機は重ねられた複数のウェブを縦折りしてから所定の長さで横裁断し、横折りすることで折帖としての新聞を作成する。このような新聞用オフセット輪転印刷機としては、例えば、下記特許文献１に記載されたものがある。
【０００３】
ところで、このような新聞用オフセット輪転印刷機にて、印刷ユニットは、多数のインキローラや版胴、ブランケット胴などが回転することでインキを供給していることから、インキがミスト状となって周囲に浮遊している。また、湿し水を用いる印刷ユニットでは、噴射ノズルや供給ローラなどが作動して湿し水を供給していることから、水がミスト状となって周囲に浮遊している。そのため、このインキミストや水ミストが搬送中のウェブに付着して印刷障害を発生させてしまうおそれがある。
【０００４】
そこで、印刷ユニット内部で浮遊するインキミストを排出する技術として、例えば、下記特許文献２，３に記載されたものがある。
【先行技術文献】
【特許文献】
【０００５】
【特許文献１】特開２０１３−００６２８２号公報
【特許文献２】特許第４６０５７６１号公報
【特許文献３】特許第５６１９９６０号公報
【発明の概要】
【発明が解決しようとする課題】
【０００６】
上述した特許文献２の輪転印刷機の印刷装置は、左右印刷カップル間や上下印刷カップル間の印刷幅方向片方に送風ファンを設けることで、水蒸気やミストを流送拡散している。そのため、別途、送風ファンが必要となり、設備コストが増加してしまうという問題がある。また、特許文献３の印刷装置の空調システムは、電動機盤用空調機が必要となり、特許文献２と同様に、設備コストが増加してしまう。
【０００７】
本発明は、上述した課題を解決するものであり、印刷機内で浮遊する浮遊物を適正に排出して印刷障害の発生を防止すると共に設備コストの増加を抑制する印刷機の空調システム及び印刷機を提供することを目的とする。
【課題を解決するための手段】
【０００８】
上記の目的を達成するための本発明の印刷機の空調システムは、印刷機器を駆動するモータと、前記モータの外周部に設けられる空気流路と、前記空気流路に冷却空気を流すファンと、前記空気流路から排出された冷却空気を前記印刷機器が収容された収容空間部の一方側から他方側に向けて導入する冷却空気導入流路と、を有することを特徴とするものである。
【０００９】
従って、ファンを駆動すると、冷却空気が空気流路に流れることでモータが冷却され、このモータを冷却した冷却空気は、冷却空気導入流路により印刷機器が収容された収容空間部に導入される。すると、収容空間部に浮遊する浮遊物がこの冷却空気により排除される。その結果、印刷機内で浮遊する浮遊物を適正に排出して印刷障害の発生を防止することができると共に、印刷機内での浮遊物を排除するためだけの装置などを不要としてコストの増加を抑制することができる。
【００１０】
本発明の印刷機の空調システムでは、前記モータの外周側に外筒が設けられることで前記モータと前記外筒との間に前記モータの軸心方向に沿って前記空気流路が形成され、前記空気流路の入口側に前記ファンが装着されることを特徴としている。
【００１１】
従って、モータの外周部に空気流路を設け、この空気流路の入口側にファンを装着することで、モータをコンパクト化することができると共に、空気流路に対して適正に冷却空気を流すことができる。
【００１２】
本発明の印刷機の空調システムでは、前記冷却空気導入流路は、前記空気流路の出口側に設けられるチャンバと、基端部が前記チャンバに連結されて先端部が収容空間部に連通する冷却空気導入管とを有することを特徴としている。
【００１３】
従って、空気流路の出口部にチャンバを設け、冷却空気導入管の基端部をこのチャンバに連結して先端部を収容空間部に連通することで冷却空気導入流路を構成しており、モータを冷却した冷却空気をチャンバに集めた後、冷却空気導入管により収容空間部に効率良く導入することができ、収容空間部に浮遊する浮遊物を適正に排除することができる。
【００１４】
本発明の印刷機の空調システムでは、一対の印刷機フレームの間に前記収容空間部としての印刷機収容空間部が設けられ、前記印刷機器は、前記印刷機収容空間部に配置される印刷ユニットのローラ群であり、前記モータは、前記印刷機収容空間部の外側で一方側の前記印刷機フレームに配置されて前記ローラ群を駆動回転可能であり、前記冷却空気導入流路は、一端部が前記空気流路に連通し、他端部が前記一方側の印刷機フレームの作業開口部を通して前記印刷機収容空間部に連通することを特徴としている。
【００１５】
従って、モータを冷却した冷却空気は、冷却空気導入流路により印刷機収容空間部における作業開口部の近傍に導入されることとなり、作業開口部の近傍に滞留しやすい浮遊物、例えば、インキミストや水ミストなどがこの冷却空気により排除されることとなり、印刷障害を未然に防止することができる。
【００１６】
本発明の印刷機の空調システムでは、他方側の前記印刷機フレームの作業開口部を通して前記印刷機収容空間部に導入された冷却空気を外部に排出する排出装置が設けられることを特徴としている。
【００１７】
従って、印刷機収容空間部に導入された冷却空気は、排気装置により外部に排出されることとなり、印刷機収容空間部に冷却空気が滞留することはなく、作業環境を改善することができる。
【００１８】
本発明の印刷機の空調システムでは、前記排出装置は、冷却空気を給紙装置が収容される給紙装置収容空間部に排出することを特徴としている。
【００１９】
従って、排気装置により排出された冷却空気は、給紙装置収容空間部に導入されることとなり、給紙装置により搬送されるウェブの乾燥を抑制してウェブの良好な搬送を維持することができる。
【００２０】
本発明の印刷機の空調システムでは、一対の折機フレームの間に前記収容空間部としての折機収容空間部が設けられ、前記印刷機器は、前記折機収容空間部に配置される折機の鋸胴または折胴であり、前記モータは、前記折機収容空間部の外側で一方側の前記折機フレームに配置されて前記鋸胴または折胴を駆動回転可能であり、前記冷却空気導入流路は、一端部が前記空気流路に連通し、他端部が前記折機収容空間部に連通することを特徴としている。
【００２１】
従って、モータを冷却した冷却空気は、冷却空気導入流路により折機収容空間部に導入されることとなり、折機収容空間部に浮遊する浮遊物、例えば、紙粉などがこの冷却空気により排除されることとなり、印刷障害を未然に防止することができる。
【００２２】
本発明の印刷機の空調システムでは、空気を所定の温度に調節する空調装置と、前記空調装置により温度調節された冷却空気を前記ファンに導く冷却空気供給流路とが設けられることを特徴としている。
【００２３】
従って、ファンを駆動すると、空調装置により温度調節された冷却空気が冷却空気供給流路を通してファンに導かれ、空気流路を流れることでモータが冷却される。このモータの外周部にある空気流路を流れる冷却空気は、空調装置により温度調節されたきれいな空気であることから、ファンや空気流路に異物を付着させることはない。その結果、印刷機器を駆動するモータを適正に冷却することで性能を向上することができると共に、異物を除去するフィルタなどを不要としてコストの増加を抑制することができる。
【００２４】
本発明の印刷機の空調システムでは、前記ファンの空気取込口にチャンバが装着され、前記冷却空気供給流路が前記チャンバに連結されることを特徴としている。
【００２５】
従って、ファンの空気取込口にチャンバを装着し、冷却空気供給流路をチャンバに連結することで、ファンの駆動により冷却空気供給流路の冷却空気をチャンバに取り込むことで、冷却空気を適正に空気流路に流すことができる。
【００２６】
本発明の印刷機の空調システムでは、前記冷却空気供給流路は、冷却空気の供給及び停止する開閉装置が設けられることを特徴としている。
【００２７】
従って、冷却空気供給流路に開閉装置を設けることで、冷却空気を必要なモータにだけ供給することができ、空調装置の運転コストを低減することができる。
【００２８】
本発明の印刷機の空調システムでは、前記冷却空気供給流路は、鉛直方法に沿って配置される給気ダクトと、前記給気ダクトと前記ファンとを連通する連通管とを有することを特徴としている。
【００２９】
従って、ファンを連通管により給気ダクトに連通することで、給気ダクトを流れる冷却空気は、ファンの駆動により連通管を通して取り込まれ、適正に空気流路に流すことができる。
【００３０】
本発明の印刷機の空調システムでは、前記冷却空気供給流路は、鉛直方法に沿って配置される給気ダクトを有し、前記モータ及び前記ファンが前記給気ダクト内に配置されることを特徴としている。
【００３１】
従って、給気ダクト内にモータ及びファンを配置することで、ファンの駆動により給気ダクトを流れる冷却空気が取り込まれることとなり、適正に空気流路に流すことができる。
【００３２】
また、本発明の印刷機は、巻取紙からウェブを供給する給紙装置と、前記給紙装置から繰り出されたウェブに画像を印刷する印刷装置と、前記印刷装置により印刷が施されたウェブを重ねると共に断裁してから折り畳むことで折帖を形成する折機と、前記印刷機の空調システムと、を有することを特徴とするものである。
【００３３】
従って、印刷機内で浮遊する浮遊物として、例えば、インキミスト、水ミスト、紙粉などを適正に排出して印刷障害の発生を防止することができると共に、印刷機内での浮遊物を排除するためだけ装置などを不要としてコストの増加を抑制することができる。
【発明の効果】
【００３４】
本発明の印刷機の空調システム及び印刷機によれば、モータの空気流路から排出された冷却空気を収容空間部に導入する冷却空気導入流路を設けるので、印刷機内で浮遊する浮遊物を適正に排出して印刷障害の発生を防止することができると共に、印刷機内での浮遊物を排除するためだけの装置などを不要としてコストの増加を抑制することができる。
【図面の簡単な説明】
【００３５】
【図１】図１は、第１実施形態の印刷機の空調システムを表す概略図である。
【図２】図２は、第１実施形態の印刷機の空調システムを表す斜視図である。
【図３】図３は、印刷ユニットにおける第１、第２スタックを表す正面図である。
【図４】図４は、駆動モータにおける冷却構造を表す概略図である。
【図５】図５は、図４のＶ−Ｖ断面図である。
【図６】図６は、新聞用オフセット輪転印刷機を表す概略構成図である。
【図７】図７は、新聞用オフセット輪転印刷機における印刷ユニットを表す概略構成図である。
【図８】図８は、第２実施形態の印刷機の空調システムを表す概略図である。
【図９】図９は、第２実施形態の印刷機の空調システムを表す斜視図である。
【図１０】図１０は、印刷ユニットにおける第１、第２スタックを表す正面図である。
【図１１】図１１は、駆動モータにおける冷却構造を表す概略図である。
【図１２】図１２は、駆動モータにおける冷却構造の変形例を表す概略図である。
【図１３】図１３は、駆動モータにおける冷却構造の変形例を表す概略図である。
【図１４】図１４は、第３実施形態の印刷機の空調システムを表す概略図である。
【図１５】図１５は、第４実施形態の印刷機の空調システムを表す概略図である。
【図１６】図１６は、図１５のXVI−XVI断面図である。
【図１７】図１７は、駆動モータにおける冷却構造の変形例を表す概略図である。
【発明を実施するための形態】
【００３６】
以下に添付図面を参照して、本発明に係る印刷機の空調システム及び印刷機の好適な実施形態を詳細に説明する。なお、この実施形態により本発明が限定されるものではなく、また、実施形態が複数ある場合には、各実施形態を組み合わせて構成するものも含むものである。
【００３７】
［第１実施形態］
図６は、新聞用オフセット輪転印刷機を表す概略構成図、図７は、新聞用オフセット輪転印刷機における印刷ユニットを表す概略構成図である。
【００３８】
本実施形態の印刷機は、図６に示すように、新聞用オフセット輪転印刷機であって、給紙装置Ｒと、インフィード装置Ｉと、印刷装置Ｕと、ウェブパス装置Ｄと、折機Ｆとから構成されている。給紙装置Ｒは、複数（第１実施形態では、７台）の給紙ユニットＲ１〜Ｒ７を有し、インフィード装置Ｉは、複数（第１実施形態では、７台）のインフィードユニットＩ１〜Ｉ７を有し、印刷装置Ｕは、複数（第１実施形態では、６台）の印刷ユニットＵ１〜Ｕ６を有し、ウェブパス装置Ｄは、複数（第１実施形態では、２台）のウェブパスユニットＤ１，Ｄ２を有し、折機Ｆは、複数（第１実施形態では、２個）の折ユニットＦ１，Ｆ２を有している。
【００３９】
この場合、印刷ユニットＵ１〜Ｕ６を６台として説明したが、各印刷ユニットＵ１〜Ｕ６は、４色刷りが可能であると共に、上下に分割して１２台の２色刷りが可能な印刷ユニットＵ１１，Ｕ１２，Ｕ２１・・・Ｕ６１，Ｕ６２として用いることができる。また、２つの折ユニットＦ１，Ｆ２を上下に並べて記載したが、実際には、紙面に直交する方向に並んで配置される操作側折ユニットＦ１と駆動側折ユニットＦ２となっている。更に、印刷装置Ｕを２つの部分から記載したが、機能上２つに分けて記載しただけであり、実際には、１つの装置となっている。
【００４０】
そして、この新聞用オフセット輪転印刷機では、図示しない建屋の１階の床面上に給紙ユニットＲ１〜Ｒ７が設置され、２階にインフィードユニットＩ１〜Ｉ７が設置され、２階及び３階に印刷ユニットＵ１〜Ｕ６が設置され、３階から５階にウェブパス装置Ｄが設置され、また、２階、３階に折機Ｆが設置されている。
【００４１】
給紙装置Ｒにおいて、給紙ユニットＲ１〜Ｒ７は、ほぼ同様の構成をなし、ウェブ（印刷媒体）Ｗがロール状に巻かれた３つの巻取紙を保持する保持アーム１１を有し、この保持アーム１１を回動することで、巻取紙を給紙位置に回動することができる。また、この各給紙ユニットＲ１〜Ｒ７には、図示しない紙継装置が設けられており、給紙位置で繰り出されている巻取紙が残り少なくなると、この紙継装置により給紙位置にある巻取紙に対して、待機位置にある巻取紙を紙継することができる。
【００４２】
インフィード装置Ｉにおいて、インフィードユニットＩ１〜Ｉ７は、ほぼ同様の構成をなし、印刷装置Ｕの各印刷ユニットＵ１〜Ｕ６に送り込むウェブＷのテンションを調整することで、印刷装置Ｕを走行するウェブＷのテンションを適正値に安定して維持するようにしている。例えば、各インフィードユニットＩ１〜Ｉ７は、インフィードローラ、紙押えゴムローラ、ダンサローラ、ガイドローラなどを有している。そして、ダンサローラがウェブＷの張り方向に力を加えることでウェブＷのテンションを適正にし、このダンサローラの揺動に応じてインフィードローラの周速を変更し、ウェブＷの適正なテンションを維持している。
【００４３】
なお、給紙装置Ｒからインフィード装置ＩまでのウェブＷのテンションは、給紙ユニットＲ１〜Ｒ７に設けられた図示しないブレーキ装置により設定されており、給紙装置Ｒに設けられたテンション検出ローラの検出結果に基づいて、このブレーキ装置を制御している。また、印刷装置Ｕの下流側には、駆動源により駆動回転可能なドラグローラ１２が設けられており、このドラグローラ１２の周速やダンサローラに加えている力を制御することで、ウェブＷのテンションを調整している。
【００４４】
印刷装置Ｕにおいて、印刷ユニットＵ１〜Ｕ６は、両面４色印刷を行うことができる多色刷印刷ユニットである。但し、各印刷ユニットＵ１〜Ｕ６は、上下に分割することで、両面２色印刷を行うことができる印刷ユニットＵ１１〜Ｕ６２とすることができる。各印刷ユニットＵ１１〜Ｕ６２は、ほぼ同様の構成をなし、後述するが、インキ供給装置、版胴、ブランケット胴などを有している。本実施形態では、各印刷ユニットＵ１〜Ｕ６は、版胴に周方向に沿って印刷物としての新聞の１頁分に対応する刷版を装着可能であり、この版胴の周長（直径）に対して、ブランケット胴の周長（直径）が同じに設定されている。なお、版胴の周長（直径）や、ブランケット胴の周長（直径）はこれに限るものではない。新聞の２頁分に対応する周長を有するものなどがある。
【００４５】
なお、本実施形態では、印刷ユニットＵ１〜Ｕ６を、全て多色刷印刷ユニットにより構成したが、この構成に限定されるものではない。例えば、両面２色刷印刷ユニット、両面単色刷印刷ユニット、一面４色または単色刷印刷ユニットなど、印刷物に応じて適宜各種ユニットを組み合わせて使用すればよい。
【００４６】
ウェブパス装置Ｄにおいて、ウェブパスユニットＤ１は、印刷ユニットＵ１〜Ｕ３に対して設けられ、ウェブパスユニットＤ２は、印刷ユニットＵ４〜Ｕ６に対して設けられている。各ウェブパスユニットＤ１，Ｄ２は、ほぼ同様の構成をなし、ウェブＷを縦（ウェブＷの天地長手方向、ウェブＷの搬送方向）に沿ってその幅方向の中央部で裁断するスリッタ、縦裁断したウェブＷの搬送経路を設定するターンバー、ウェブＷにおける天地長手方向における搬送位置を調整するコンペンセータなどを有している。
【００４７】
即ち、各印刷ユニットＵ１〜Ｕ３で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わされる。
【００４８】
折機Ｆにて、２つの折ユニットＦ１，Ｆ２は、操作側と駆動側に配設されている。即ち、ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙することができる。また、ウェブパスユニットＤ２から複数のウェブＷ２が重ねられて導入されると、折ユニットＦ２は、ウェブＷ２を縦折りし、所定の長さで横裁断し、横折りして折帖を形成し、新聞として排紙することができる。この場合、折機Ｆでは、折ユニットＦ１，Ｆ２が各ウェブパスユニットＤ１，Ｄ２からのウェブＷ１，Ｗ２を処理するだけでなく、各折ユニットＦ１，Ｆ２の一方がまとめて処理することもできる。
【００４９】
従って、新聞用オフセット輪転印刷機では、給紙装置Ｒの各給紙ユニットＲ１〜Ｒ７からそれぞれ供給された各ウェブＷは、インフィード装置Ｉの各インフィードユニットＩ１〜Ｉ７によりテンションが調整され、印刷装置Ｕの各印刷ユニットＵ１〜Ｕ６に供給される。この印刷装置Ｕにおける各印刷ユニットＵ１〜Ｕ６にて、各ウェブＷの両面に印刷が施される。そして、各印刷ユニットＵ１〜Ｕ３で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わされる。
【００５０】
その後、折機Ｆでは、ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙する。また、ウェブパスユニットＤ２から複数のウェブＷ２が重ねられて導入されると、折ユニットＦ２は、ウェブＷ２を縦折りし、所定の長さで横裁断し、横折りして折帖を形成し、新聞として排紙する。
【００５１】
ここで、印刷装置Ｕにおける印刷ユニットＵ１について詳細に説明する。印刷ユニットＵ１は、図７に示すように、４色印刷が可能となるように、Ｈ型のタワーユニットとなっている。この印刷ユニットＵ１は、ウェブＷの搬送方向（下から上）に沿って、墨（Black）、藍（Cyan）、紅（Magenta）、黄（Yellow）ごとの４つのスタック２１，２２，２３，２４が配置されて構成されており、各スタック２１，２２，２３，２４は、それぞれ左右対称となるローラ配列となっている。
【００５２】
即ち、印刷ユニットＵ１における各スタック２１，２２，２３，２４は、左右に対向してブランケット胴３１ａ，３１ｂ，３２ａ，３２ｂ，３３ａ，３３ｂ，３４ａ，３４ｂがウェブＷの搬送経路を挟んで対接可能であり、各ブランケット胴３１ａ，３１ｂ，３２ａ，３２ｂ，３３ａ，３３ｂ，３４ａ，３４ｂに版胴４１ａ，４１ｂ，４２ａ，４２ｂ，４３ａ，４３ｂ，４４ａ，４４ｂが対接している。そして、各スタック２１，２２，２３，２４は、各版胴４１ａ，４１ｂ，４２ａ，４２ｂ，４３ａ，４３ｂ，４４ａ，４４ｂに対して、インキ供給装置５１ａ，５１ｂ，５２ａ，５２ｂ，５３ａ，５３ｂ，５４ａ，５４ｂが設けられている。また、各版胴４１ａ，４１ｂ，４２ａ，４２ｂ，４３ａ，４３ｂ，４４ａ，４４ｂに対して、湿し装置６１ａ，６１ｂ，６２ａ，６２ｂ，６３ａ，６３ｂ，６４ａ，６４ｂが設けられている。
【００５３】
この場合、スタック２１，２３は、ブランケット胴３１ａ，３１ｂ，３３ａ，３３ｂと版胴４１ａ，４１ｂ，４３ａ，４３ｂがハの字形状に配列され、スタック２２，２４は、ブランケット胴３２ａ，３２ｂ，３４ａ，３４ｂと版胴４２ａ，４２ｂ，４４ａ，４４ｂが逆ハの字形状に配列されている。そして、各版胴４１ａ，４１ｂ，４２ａ，４２ｂ，４３ａ，４３ｂ，４４ａ，４４ｂにて、外周面に異なる絵柄を印刷する刷版（図示略）が軸方向、つまり、ウェブＷの幅方向に２つ（または、４つ）並べて装着可能となっている。なお、刷版の装着数は適宜設定すればよい。
【００５４】
なお、インキ供給装置５１ａ，５１ｂ，５２ａ，５２ｂ，５３ａ，５３ｂ，５４ａ，５４ｂは、一般的に、インキつぼ（デジタルインキポンプ）、インキ元ローラ、インキ受渡しローラ、インキ練ローラ、インキ往復ローラ、インキ着ローラなどにより構成されている。
【００５５】
上述したように、各印刷ユニットＵ１にて、各版胴４１ａ，４１ｂ，４２ａ，４２ｂ，４３ａ，４３ｂ，４４ａ，４４ｂは、外周部に軸方向に沿って複数の刷版が装着されており、各版胴４１ａ，４１ｂ，４２ａ，４２ｂ，４３ａ，４３ｂ，４４ａ，４４ｂの各刷版が対応するブランケット胴３１ａ，３１ｂ，３２ａ，３２ｂ，３３ａ，３３ｂ，３４ａ，３４ｂに対接している。ブランケット胴３１ａと３１ｂ、ブランケット胴３２ａと３２ｂ、ブランケット胴３３ａと３３ｂ、ブランケット胴３４ａと３４ｂは、それぞれ外周面同士が対接しており、この間にウェブＷが走行するとき、ブランケット胴３１ａ，３１ｂ，３２ａ，３２ｂ，３３ａ，３３ｂ，３４ａ，３４ｂとウェブＷとの間に所定の印圧が作用することで、ブランケット胴３１ａ，３１ｂ，３２ａ，３２ｂ，３３ａ，３３ｂ，３４ａ，３４ｂのインキがウェブＷに転写される。
【００５６】
ところで、このような新聞用オフセット輪転印刷機にて、各印刷ユニットＵ１〜Ｕ６は、前述したように、４つのスタック２１，２２，２３，２４が上下に配置されて構成されている。そして、各スタック２１，２２，２３，２４は、ブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、インキ供給装置５１ａ，５１ｂ，５２ａ，５２ｂ，５３ａ，５３ｂ，５４ａ，５４ｂのローラ群が配置されている。本実施形態では、各スタック２１，２２，２３，２４に１個の駆動モータが配置され、この各駆動モータによりブランケット胴３１ａ，３１ｂ，３２ａ，３２ｂ，３３ａ，３３ｂ，３４ａ，３４ｂを直接的に駆動し、版胴４１ａ，４１ｂ，４２ａ，４２ｂ，４３ａ，４３ｂ，４４ａ，４４ｂやインキ供給装置５１ａ，５１ｂ，５２ａ，５２ｂ，５３ａ，５３ｂ，５４ａ，５４ｂの一部のローラを間接的に駆動する。
【００５７】
図１は、第１実施形態の印刷機の空調システムを表す概略図、図２は、第１実施形態の印刷機の空調システムを表す斜視図である。なお、この図１及び図２にて、版胴、ブランケット胴、インキ供給装置を省略して表している。また、図２では、全体を透過して表し、排出装置だけを透過せずに表している。本実施形態では、本発明の印刷機器を印刷装置Ｕにおける各印刷ユニットＵ１〜Ｕ６のブランケット胴３１ａ，３１ｂ，３２ａ，３２ｂ，３３ａ，３３ｂ，３４ａ，３４ｂとして説明する。
【００５８】
図１及び図２に示すように、一対の印刷機フレーム１０１，１０２は、所定間隔を空けて水平方向に対向するように鉛直方向に沿って設けられており、この印刷機フレーム１０１，１０２の間に印刷機収容空間部Ｓ１が設けられている。ブランケット胴３１ａ，３１ｂ，３２ａ，３２ｂ，３３ａ，３３ｂ，３４ａ，３４ｂと版胴４１ａ，４１ｂ，４２ａ，４２ｂ，４３ａ，４３ｂ，４４ａ，４４ｂとインキ供給装置５１ａ，５１ｂ，５２ａ，５２ｂ，５３ａ，５３ｂ，５４ａ，５４ｂのローラ群（図７参照）は、この印刷機収容空間部Ｓ１に配置され、各胴やローラの支持軸が印刷機フレーム１０１，１０２に回転自在に支持されている。
【００５９】
印刷機収容空間部Ｓ１に対して、一方側（駆動側）の印刷機フレーム１０１の外側にモータ収容空間部Ｓ２が設けられ、他方側（操作側）の印刷機フレーム１０２の外側に印刷予備機器収容空間部Ｓ３が設けられている。そして、４つのスタック２１，２２，２３，２４に対応して駆動モータ１１１，１１２，１１３，１１４がそれぞれ設けられており、各駆動モータ１１１，１１２，１１３，１１４は、モータ収容空間部Ｓ２で、印刷機フレーム１０１に配置されている。この駆動モータ１１１，１１２，１１３，１１４は、駆動力伝達部を介してブランケット胴３１ａ，３１ｂ，３２ａ，３２ｂ，３３ａ，３３ｂ，３４ａ，３４ｂを直接的に駆動回転可能であると共に、版胴４１ａ，４１ｂ，４２ａ，４２ｂ，４３ａ，４３ｂ，４４ａ，４４ｂ及びインキ供給装置５１ａ，５１ｂ，５２ａ，５２ｂ，５３ａ，５３ｂ，５４ａ，５４ｂの一部のローラを間接的に駆動回転可能である。
【００６０】
そして、この印刷機収容空間部Ｓ１では、ブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、インキ供給装置５１ａ，５１ｂ，５２ａ，５２ｂ，５３ａ，５３ｂ，５４ａ，５４ｂのローラ群が駆動して印刷が実施されることから、インキや湿し水がミスト状となって浮遊物として浮遊している。そのため、この浮遊しているインキミストや水ミスト（浮遊物）が搬送中のウェブＷに付着して印刷品質が低下してしまうおそれがある。
【００６１】
そこで、第１実施形態の新聞用オフセット輪転印刷機における空調システムは、上述した各駆動モータ１１１，１１２，１１３，１１４が空冷式となっており、ファンにより周囲に冷却空気を流すことで冷却していることから、駆動モータ１１１，１１２，１１３，１１４を冷却した空気を印刷機収容空間部Ｓ１に導入することで、ここに浮遊しているインキミストなどの浮遊物を含む空気を外部に排出するようにしている。
【００６２】
図３は、印刷ユニットにおける第１、第２スタックを表す正面図、図４は、駆動モータにおける冷却構造を表す概略図、図５は、図４のＶ−Ｖ断面図である。
【００６３】
図３から図５に示すように、駆動モータ１１１（１１２，１１３，１１４）は、回転軸１２１の周囲に鉄芯が固定されるロータ１２２と、円筒形状をなすケース１２３の内側に巻線が固定されるステータ１２４とを有し、ステータ１２４内に所定隙間を空けてロータ１２２が配置されて構成されている。この駆動モータ１１１は、外周部に径方向に所定間隔を空けて外筒１２５が設けられることで、駆動モータ１１１の外周面と外筒１２５の内周面との間に空気流路１２６が設けられている。また、駆動モータ１１１は、ステータ１２４の外周部に軸心方向Ｃに沿うフィン１２７が周方向に均等間隔で複数設けられている。そのため、この空気流路１２６は、駆動モータ１１１の外側でこの駆動モータ１１１の軸心方向Ｃに沿うと共に、各フィン１２７により周方向に複数に区画されている。
【００６４】
駆動モータ１１１は、空気流路１２６の入口部にファン１２８が装着されている。このファン１２８は、空気流路１２６に冷却空気を流すものであり、駆動モータ１１１の軸心部に位置する駆動部１２８ａと、駆動部１２８ａの周囲に設けられる複数の羽根１２８ｂとを有している。そして、駆動モータ１１１は、このファン１２８の空気取込口にインキミストなどの浮遊物を異物として除去するフィルタ１２９が設けられている。そのため、ファン１２８は、駆動部１２８ａにより複数の羽根１２８ｂが回転することで、フィルタ１２９により異物を除去した空気を取り込み、この空気を冷却空気として空気流路１２６に流すことができる。なお、ここで、浮遊物とは、空気中に浮遊するインキミスト、水ミスト、紙粉などであり、異物とは、浮遊物を捕集して発生したものであり、インキ、水、紙粉などである。
【００６５】
なお、ここでは、駆動モータ１１１について説明したが、他の駆動モータ１１２，１１３，１１４も同様の構成をなし、外筒１２５、空気流路１２６、フィン１２７、ファン１２８、フィルタ１２９が設けられている。
【００６６】
また、駆動モータ１１１（１１２，１１３，１１４）は、冷却した冷却空気を印刷機収容空間部Ｓ１に導入する冷却空気導入流路としての冷却空気導入管１４１が設けられている。即ち、駆動モータ１１１は、空気流路１２６の出口部にチャンバ１４２が設けられており、冷却空気導入管１４１の基端部がこのチャンバ１４２の下端部（または、上端部）に連結されている。
【００６７】
図７に示すように、スタック２１，２３は、各胴がハの字形状に配列され、スタック２２，２４は、各胴が逆ハの字形状に配列されていることから、印刷機フレーム１０１は、図２に示すように、スタック２１，２３に対応して各胴の下部に作業開口部１０３，１０５が設けられ、スタック２２，２４に対応して各胴の上部に作業開口部１０４，１０６が設けられている。図３から図５に示すように、駆動モータ１１１は、空気流路１２６の出口部にチャンバ１４２が設けられており、回転軸１２１がチャンバ１４２を貫通している。印刷機フレーム１０１は、駆動力伝達部１４３が固定されており、この駆動力伝達部１４３に駆動モータ１１１のチャンバ１４２が固定されている。そして、駆動モータ１１１の回転軸１２１がこの駆動力伝達部１４３に侵入し、図示しないギア列を介して印刷機収容空間部Ｓ１内に延出する２本の出力軸１４４に駆動連結されている。各出力軸１４４は、ブランケット胴３１ａ，３１ｂの支持軸に連結される。
【００６８】
チャンバ１４２は、空気流路１２６に連通すると共に、下端部（または、上端部）に冷却空気導入管１４１の基端部が連結されている。冷却空気導入管１４１は、中途部がほぼ直角に折曲するＬ字形状をなし、先端部が印刷機フレーム１０１の作業開口部１０３を通して印刷機収容空間部Ｓ１側に延出して連通している。なお、チャンバ１４２内に冷却フィンを設けてもよい。そのため、ファン１２８が駆動することで、空気流路１２６を流れる冷却空気をチャンバ１４２から冷却空気導入管１４１を通して印刷機収容空間部Ｓ１に導入することができる。
【００６９】
なお、ここでは、駆動モータ１１１について説明したが、他の駆動モータ１１２，１１３，１１４も、冷却空気導入管１４１、チャンバ１４２、出力軸１４４が設けられている。
【００７０】
また、図１から図３に示すように、印刷機収容空間部Ｓ１に導入された冷却空気を外部に排出する排出装置１５１が設けられている。印刷機フレーム１０２は、スタック２１，２３に対応して各胴の下部に作業開口部１０７，１０９が設けられ、スタック２２，２４に対応して各胴の上部に作業開口部１０８，１１０が設けられている。印刷予備機器収容空間部Ｓ３は、例えば、ニップ調整用油圧シリンダや油圧配管などの印刷予備機器が収容されている。この印刷予備機器収容空間部Ｓ３にて、各スタック２２，２４に対応する空間上部に排気部１５２，１５３が設けられている。この排気部１５２，１５３は、吸引部とファンとから構成されている。また、印刷ユニットＵ１，Ｕ２の間に排気ダクト１５４が上下方向に沿って設けられ、排気部１５２，１５３と排気ダクト１５４とが連結管１５５，１５６により連結されている。
【００７１】
そのため、排気部１５２，１５３を駆動することで、その吸引力が印刷予備機器収容空間部Ｓ３に作用し、作業開口部１０７，１０９を介して印刷機収容空間部Ｓ１に作用する。すると、印刷機収容空間部Ｓ１の冷却空気が作業開口部１０７，１０９を通して印刷予備機器収容空間部Ｓ３に流れ、各排気部１５２，１５３により連結管１５５，１５６から排気ダクト１５４を通して外部に排出される。
【００７２】
ここで、第１実施形態の新聞用オフセット輪転印刷機における空調システムの作動について説明する。
【００７３】
図６及び図７に示すように、印刷装置Ｕが作動すると、駆動モータ１１１，１１２，１１３，１１４によりブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、インキ供給装置５１ａ，５１ｂ，５２ａ，５２ｂ，５３ａ，５３ｂ，５４ａ，５４ｂなどが作動することで、走行するウェブＷに対して印刷が実施される。
【００７４】
このとき、図１及び図４に示すように、駆動モータ１１１，１１２，１１３，１１４が駆動すると、各駆動モータ１１１，１１２，１１３，１１４に装着されたファン１２８が駆動し、吸引力がフィルタ１２９に作用する。すると、モータ収容空間部Ｓ２の空気がフィルタ１２９を通してファン１２８に吸引され、このファン１２８を通して空気流路１２６に流れる。そのため、駆動モータ１１１，１１２，１１３，１１４は、この冷却空気により冷却されることで、長期間にわたって安定して駆動される。
【００７５】
そして、空気流路１２６を流れた冷却空気は、チャンバ１４２に流れ、冷却空気導入管１４１を通して作業開口部１０３，１０４，１０５，１０６から印刷機収容空間部Ｓ１に導入される。この印刷機収容空間部Ｓ１では、前述したように、インキや湿し水がミスト状となって浮遊しており、特に、各スタック２１，２２，２３，２４の間の空間部でインキや湿し水のミスト（水ミスト）が滞留しやすい。
【００７６】
そこで、本実施形態では、駆動モータ１１１，１１２，１１３，１１４を冷却した空気を一方の作業開口部１０３，１０４，１０５，１０６から印刷機収容空間部Ｓ１に導入することで、印刷機収容空間部Ｓ１に滞留しているインキミストなどを含む空気が他方の作業開口部１０７，１０８，１０９，１１０側に流して排出している。そのため、インキミストなどによる機器やウェブＷの汚れが抑制され、印刷品質が向上する。また、駆動モータ１１１，１１２，１１３，１１４を冷却した空気は、駆動モータ１１１，１１２，１１３，１１４の熱を奪って加温されていることから、印刷機収容空間部Ｓ１の温度が上昇し、結露の発生が抑制される。
【００７７】
また、印刷機収容空間部Ｓ１から作業開口部１０７，１０８，１０９，１１０を通して印刷予備機器収容空間部Ｓ３に排出された空気は、各排気部１５２，１５３により吸引され、連結管１５５，１５６から排気ダクト１５４に流れ、建屋の外部に排出される。
【００７８】
このように第１実施形態の印刷機の空調システムにあっては、印刷機器としての印刷ユニットＵ１〜Ｕ６を駆動する駆動モータ１１１，１１２，１１３，１１４と、駆動モータ１１１，１１２，１１３，１１４の外周部に設けられる空気流路１２６と、空気流路１２６に冷却空気を流すファン１２８と、駆動モータ１１１，１１２，１１３，１１４を冷却して空気流路１２６から排出された冷却空気を印刷機収容空間部Ｓ１の一方側から他方側に向けて導入する冷却空気導入管１４１を設けている。
【００７９】
従って、ファン１２８を駆動すると、冷却空気が空気流路１２６を流れることで駆動モータ１１１，１１２，１１３，１１４が冷却される。そして、この駆動モータ１１１，１１２，１１３，１１４を冷却した冷却空気は、冷却空気導入管１４１により印刷機収容空間部Ｓ１に導入される。すると、印刷機収容空間部Ｓ１の一方側から導入された冷却空気により、この印刷機収容空間部Ｓ１に浮遊するインキミストや紙粉などの異物がこの冷却空気と共に他方側から排除される。その結果、印刷機収容空間部Ｓ１で浮遊するインキミストなどの浮遊物を適正に排出して印刷障害の発生を防止することができると共に、印刷機収容空間部Ｓ１での浮遊物を排除するだけの装置などを不要としてコストの増加を抑制することができる。
【００８０】
第１実施形態の印刷機の空調システムでは、駆動モータ１１１，１１２，１１３，１１４の外周側に外筒１２５を設けることで駆動モータ１１１，１１２，１１３，１１４と外筒１２５との間に軸心方向Ｃに沿って空気流路１２６を形成し、空気流路１２６の入口部にファン１２８を装着している。従って、駆動モータ１１１，１１２，１１３，１１４の全体構成をコンパクト化することができると共に、空気流路１２６に対して適正に冷却空気を流すことができる。
【００８１】
第１実施形態の印刷機の空調システムでは、空気流路１２６の出口部にチャンバ１４２を設け、冷却空気導入管１４１の基端部をこのチャンバ１４２に連結して先端部を印刷機収容空間部Ｓ１に連通している。従って、駆動モータ１１１，１１２，１１３，１１４を冷却した冷却空気をチャンバ１４２に集めた後、冷却空気導入管１４１により印刷機収容空間部Ｓ１に効率良く導入することができ、印刷機収容空間部Ｓ１に浮遊するインキミストや水ミストや紙粉などの浮遊物を適正に排除することができる。
【００８２】
第１実施形態の印刷機の空調システムでは、一方側の印刷機フレーム１０１の作業開口部１０３，１０４，１０５，１０６からブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、インキ供給装置５１ａ，５１ｂ，５２ａ，５２ｂ，５３ａ，５３ｂ，５４ａ，５４ｂが収容される印刷機収容空間部Ｓ１に冷却空気導入管１４１により冷却空気を導入している。従って、駆動モータ１１１，１１２，１１３，１１４を冷却した冷却空気が作業開口部１０３，１０４，１０５，１０６の近傍に導入されることとなり、ここに滞留しやすいインキミストなどが冷却空気により排除されることとなり、印刷障害を未然に防止することができる。
【００８３】
第１実施形態の印刷機の空調システムでは、他方側の印刷機フレーム１０２の作業開口部１０７，１０８，１０９，１１０を通して印刷機収容空間部Ｓ１に導入された冷却空気を外部に排出する排出装置１５１を設けている。従って、印刷機収容空間部Ｓ１に冷却空気が滞留することはなく、作業環境を改善することができる。
【００８４】
また、第１実施形態の印刷機にあっては、巻取紙からウェブＷを供給する給紙装置Ｒと、給紙装置Ｒから繰り出されたウェブＷに画像を印刷する印刷装置Ｕと、印刷装置Ｕにより印刷が施されたウェブＷを重ねると共に断裁してから折り畳むことで折帖を形成する折機Ｆとを備えた新聞用オフセット輪転印刷機とし、空調システムとして、駆動モータ１１１，１１２，１１３，１１４の空気流路１２６と、空気流路１２６に冷却空気を流すファン１２８と、駆動モータ１１１，１１２，１１３，１１４を冷却して空気流路１２６から排出された冷却空気を印刷機収容空間部Ｓ１に導入する冷却空気導入管１４１を設けている。
【００８５】
従って、印刷機収容空間部Ｓ１で浮遊するインキミストや水ミストや紙粉などの浮遊物を適正に排出して印刷障害の発生を防止することができると共に、印刷機収容空間部Ｓ１での浮遊物を排除するだけの装置などを不要としてコストの増加を抑制することができる。
【００８６】
［第２実施形態］
図８は、第２実施形態の印刷機の空調システムを表す概略図、図９は、第２実施形態の印刷機の空調システムを表す斜視図、図１０は、印刷ユニットにおける第１、第２スタックを表す正面図、図１１は、駆動モータにおける冷却構造を表す概略図である。なお、上述した実施形態と同様の機能を有する部材には、同一の符号を付して詳細な説明は省略する。
【００８７】
第２実施形態の新聞用オフセット輪転印刷機は、第１実施形態と同様に、図６及び図７に示すように、各印刷ユニットＵ１〜Ｕ６は、４つのスタック２１，２２，２３，２４が上下に配置されて構成され、ブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、インキ供給装置５１ａ，５１ｂ，５２ａ，５２ｂ，５３ａ，５３ｂ，５４ａ，５４ｂのローラ群が配置されて構成されている。そして、図８及び図９に示すように、各スタック２１，２２，２３，２４に１個の駆動モータ１１１，１１２，１１３，１１４が配置され、この各駆動モータにより１１１，１１２，１１３，１１４ブランケット胴３１ａ，３１ｂ，３２ａ，３２ｂ，３３ａ，３３ｂ，３４ａ，３４ｂが駆動する。
【００８８】
ところで、この各駆動モータ１１１，１１２，１１３，１１４は、空冷式となっており、ファン１２８（図１１参照）により周囲に冷却空気を流すことで冷却しているが、各印刷ユニットＵ１〜Ｕ６における各スタック２１，２２，２３，２４は、内部にインキミストが浮遊しており、ファン１２８はインキミストを含んだ空気により駆動モータ１１１，１１２，１１３，１１４を冷却することとなり、ファン１２８などにインキが付着してしまい、駆動モータ１１１，１１２，１１３，１１４の冷却効率が低下してしまう。
【００８９】
そこで、第２実施形態の新聞用オフセット輪転印刷機における空調システムは、各スタック２１，２２，２３，２４の内部の空気ではなく、外部からきれいな空気を取り込み、このきれいな空気により駆動モータ１１１，１１２，１１３，１１４を冷却するようにしている。
【００９０】
図１０及び図１１に示すように、駆動モータ１１１（１１２，１１３，１１４）は、外周部に外筒１２５が設けられることで、外周面とこの外筒１２５の内周面との間に空気流路１２６が設けられている。この空気流路１２６は、駆動モータ１１１の外側でこの駆動モータ１１１の軸心方向Ｃに沿って形成されている。駆動モータ１１１は、空気流路１２６の入口部にファン１２８が装着されており、このファン１２８の空気取込口にチャンバ１３０が設けられており、ファン１２８が駆動回転することで、チャンバ１３０の冷却空気を空気流路１２６に流すことができる。
【００９１】
新聞用オフセット輪転印刷機は、図８及び図９に示すように、空気を所定の温度に調節する空調装置１３１が設けられている。この空調装置１３１は、建屋外部の空気を取り込んで冷却（または、加温）し、各エリアに供給するものである。そして、この空調装置１３１により温度調節された冷却空気を駆動モータ１１１，１１２，１１３，１１４に導く冷却空気供給流路としての給気ダクト１３２が設けられている。この給気ダクト１３２は、モータ収容空間部Ｓ２を上下に貫通して配置されており、上端部に空調装置１３１からの冷却空気供給配管１３３が連結されている。また、給気ダクト１３２は、駆動モータ１１１，１１２，１１３，１１４の各チャンバ１３０にそれぞれ連通管１３４を介して連結されている。更に、給気ダクト１３２は、各駆動モータ１１１，１１２，１１３，１１４に対して冷却空気の供給及び停止する開閉装置１３５が設けられている。
【００９２】
一方、図１０及び図１１に示すように、駆動モータ１１１（１１２，１１３，１１４）は、空気流路１２６の出口部にチャンバ１４２が設けられており、冷却空気導入管１４１の基端部がこのチャンバ１４２の下端部（または、上端部）に連結されている。印刷機フレーム１０１は、駆動力伝達部１４３が固定されており、この駆動力伝達部１４３に駆動モータ１１１のチャンバ１４２が固定されている。チャンバ１４２は、空気流路１２６に連通すると共に、下端部（または、上端部）に冷却空気導入管１４１の基端部が連結されている。冷却空気導入管１４１は、先端部が印刷機フレーム１０１の作業開口部１０３を通して印刷機収容空間部Ｓ１側に延出して連通している。
【００９３】
また、図８から図１０に示すように、印刷機収容空間部Ｓ１に導入された冷却空気を外部に排出する排出装置１５１が設けられている。そのため、排気部１５２，１５３を駆動することで、印刷機収容空間部Ｓ１の冷却空気が作業開口部１０７，１０８，１０９，１１０を通して印刷予備機器収容空間部Ｓ３に流れ、各排気部１５２，１５３により連結管１５５，１５６から排気ダクト１５４を通して外部に排出される。
【００９４】
なお、上述の説明では、駆動モータ１１１，１１２，１１３，１１４にファン１２８とチャンバ１３０を設け、連通管１３４を介して給気ダクト１３２と連通したが、この構成に限定されるものではない。図１２及び図１３は、駆動モータにおける冷却構造の変形例を表す概略図である。
【００９５】
図１２に示すように、駆動モータ１１２，１１３は、外周部に空気流路１２６が設けられており、この空気流路１２６の入口部にファン１２８が装着されている。また、駆動モータ１１２，１１３は、空気流路１２６の出口部にチャンバ１４２が設けられており、冷却空気導入管１４１の基端部がチャンバ１４２の下端部（または、上端部）に連結されている。印刷機フレーム１０１は、駆動力伝達部１４３が固定されており、この駆動力伝達部１４３に駆動モータ１１２，１１３のチャンバ１４２が固定されている。チャンバ１４２は、下端部（または、上端部）に冷却空気導入管１４１の基端部が連結されており、この冷却空気導入管１４１は、先端部が印刷機フレーム１０１の作業開口部１０４，１０５を通して印刷機収容空間部Ｓ１側に延出して連通している。
【００９６】
この変形例では、冷却空気供給流路としての給気ダクト１６１は、モータ収容空間部Ｓ２を上下に貫通して配置されており、上端部に空調装置１３１からの冷却空気供給配管１３３（図８参照）が連結されている。そして、駆動モータ１１２，１１３及びファン１２８は、この給気ダクト１６１内に配置されている。そのため、ファン１２８が駆動すると、給気ダクト１６１内を流れる冷却空気が吸引されて空気流路１２６に流すことができ、この空気流路１２６を流れる冷却空気をチャンバ１４２から冷却空気導入管１４１を通して印刷機収容空間部Ｓ１に導入することができる。
【００９７】
また、図１３に示すように、駆動モータ１１２，１１３は、外周部に空気流路１２６が設けられている。そして、この変形例では、冷却空気供給流路としての給気ダクト１３２は、モータ収容空間部Ｓ２を上下に貫通して配置されており、上端部に空調装置１３１からの冷却空気供給配管１３３（図８参照）が連結されている。そして、給気ダクト１３２は、駆動モータ１１２，１１３に対向する位置にファン１６６が装着されており、駆動モータ１１２，１１３の空気流路１２６とファン１６６が連通管１６７により連結されている。そのため、ファン１６６が駆動すると、給気ダクト１３２内を流れる冷却空気が吸引され、連通管１６７を通して空気流路１２６に流すことができ、この空気流路１２６を流れる冷却空気をチャンバ１４２から冷却空気導入管１４１を通して印刷機収容空間部Ｓ１に導入することができる。
【００９８】
ここで、第２実施形態の新聞用オフセット輪転印刷機における空調システムの作動について説明する。
【００９９】
図６及び図７に示すように、印刷装置Ｕが作動すると、駆動モータ１１１，１１２，１１３，１１４によりブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、インキ供給装置５１ａ，５１ｂ，５２ａ，５２ｂ，５３ａ，５３ｂ，５４ａ，５４ｂなどが作動することで、走行するウェブＷに対して印刷が実施される。
【０１００】
このとき、図８及び図１１に示すように、駆動モータ１１１，１１２，１１３，１１４が駆動すると、各駆動モータ１１１，１１２，１１３，１１４に装着されたファン１２８が駆動し、吸引力がチャンバ１３０及び連通管１３４を介して給気ダクト１３２に作用する。すると、空調装置１３１から冷却空気供給配管１３３を介して給気ダクト１３２に供給されている冷却空気が連通管１３４を通ってチャンバ１３０に流れ、ファン１２８を通して空気流路１２６に流れる。そのため、駆動モータ１１１，１１２，１１３，１１４は、空調装置１３１により温度調節された冷却空気により冷却される。この冷却空気は、インキミストなどの異物を含んでないことから、空気流路１２６、フィン１２７、ファン１２８などが汚れることがなく、駆動モータ１１１，１１２，１１３，１１４の冷却性能が長期間にわたって維持される。
【０１０１】
そして、空気流路１２６を流れた冷却空気は、チャンバ１４２に流れ、冷却空気導入管１４１を通して作業開口部１０３，１０４，１０５，１０６から印刷機収容空間部Ｓ１に導入される。即ち、駆動モータ１１１，１１２，１１３，１１４を冷却した空気が一方の作業開口部１０３，１０４，１０５，１０６から印刷機収容空間部Ｓ１に導入されることで、印刷機収容空間部Ｓ１に滞留しているインキミストなどを含む空気が他方の作業開口部１０７，１０８，１０９，１１０側に流れて排出される。そして、印刷機収容空間部Ｓ１から作業開口部１０７，１０８，１０９，１１０を通して印刷予備機器収容空間部Ｓ３に排出された空気は、各排気部１５２，１５３により吸引され、連結管１５５，１５６から排気ダクト１５４に流れ、建屋の外部に排出される。
【０１０２】
このように第２実施形態の印刷機の空調システムにあっては、印刷機器としての印刷ユニットＵ１〜Ｕ６を駆動する駆動モータ１１１，１１２，１１３，１１４と、駆動モータ１１１，１１２，１１３，１１４の外周部に設けられる空気流路１２６と、空気流路１２６に冷却空気を流すファン１２８と、空気を所定の温度に調節する空調装置１３１と、空調装置１３１により温度調節された冷却空気をファン１２８に導く給気ダクト１３２とを設けている。
【０１０３】
従って、ファン１２８を駆動すると、空調装置１３１により温度調節された冷却空気が給気ダクト１３２を通してファン１２８に導かれ、空気流路１２６を流れることで駆動モータ１１１，１１２，１１３，１１４が冷却される。この駆動モータ１１１，１１２，１１３，１１４の外周部にある空気流路１２６を流れる冷却空気は、空調装置１３１により温度調節されたきれいな空気であることから、ファン１２８や空気流路１２６にインキなどの異物を付着させることはない。その結果、印刷ユニットＵ１〜Ｕ６を駆動する駆動モータ１１１，１１２，１１３，１１４を適正に冷却することで性能を向上することができると共に、電力消費量を削減することができる。また、ファン１２８の空気取込口に異物を除去するフィルタなどの装着が不要となり、コストの増加を抑制することができる。
【０１０４】
第２実施形態の印刷機の空調システムでは、ファン１２８の空気取込口にチャンバ１３０を装着し、給気ダクト１３２をこのチャンバ１３０に連結している。従って、ファン１２８の駆動により給気ダクト１３２の冷却空気をチャンバ１３０に取り込むことで、冷却空気を適正に空気流路１２６に流すことができる。
【０１０５】
第２実施形態の印刷機の空調システムでは、給気ダクト１３２に冷却空気の供給及び停止を行う開閉装置１３５を設けている。例えば、印刷ユニットＵ１を使用しない場合、印刷ユニットＵ１の駆動モータ１１１，１１２，１１３，１１４は停止していることから、停止している駆動モータ１１１，１１２，１１３，１１４を冷却する必要はない。そのため、停止している駆動モータ１１１，１１２，１１３，１１４に対応する印刷ユニットＵ１側の開閉装置１３５を閉止し、使用する印刷ユニットＵ２を駆動している駆動モータ１１１，１１２，１１３，１１４に対応する印刷ユニットＵ２側の開閉装置１３５を開放する。すると、冷却が必要な印刷ユニットＵ２側の駆動モータ１１１，１１２，１１３，１１４にだけ冷却空気を供給することができ、余分な冷却空気が不要となり、空調装置１３１の運転コストを低減することができる。
【０１０６】
第２実施形態の変形例の印刷機の空調システムでは、鉛直方法に沿って給気ダクト１３２を配置し、給気ダクト１３２とファン１２８とを連通管１３４により連通としている。従って、給気ダクト１３２を流れる冷却空気は、ファン１２８の駆動により連通管１３４を通して取り込まれ、適正に空気流路１２６に流すことができる。
【０１０７】
第２実施形態の変形例の印刷機の空調システムでは、鉛直方法に沿って給気ダクト１３２を配置し、駆動モータ１１１，１１２，１１３，１１４及びファン１２８を給気ダクト１３２内に配置している。従って、ファン１２８の駆動により給気ダクト１３２を流れる冷却空気が取り込まれることとなり、適正に空気流路１２６に流すことができる。
【０１０８】
また、第２実施形態の印刷機にあっては、巻取紙からウェブＷを供給する給紙装置Ｒと、給紙装置Ｒから繰り出されたウェブＷに画像を印刷する印刷装置Ｕと、印刷装置Ｕにより印刷が施されたウェブＷを重ねると共に断裁してから折り畳むことで折帖を形成する折機Ｆとを備えた新聞用オフセット輪転印刷機とし、空調システムとして、駆動モータ１１１，１１２，１１３，１１４の空気流路１２６と、空気流路１２６に冷却空気を流すファン１２８と、空調装置１３１により温度調節された冷却空気をファン１２８に導く給気ダクト１３２を設けている。
【０１０９】
従って、印刷ユニットＵ１〜Ｕ６を駆動する駆動モータ１１１，１１２，１１３，１１４を適正に冷却することで性能を向上することができると共に、電力消費量を削減することができる。また、ファン１２８の空気取込口に異物を除去するフィルタなどの装着が不要となり、コストの増加を抑制することができる。その結果、駆動モータ１１１，１１２，１１３，１１４の長寿命化を可能として印刷機の耐久性を向上することができる。
【０１１０】
［第３実施形態］
図１４は、第３実施形態の印刷機の空調システムを表す概略図である。なお、上述した実施形態と同様の機能を有する部材には、同一の符号を付して詳細な説明は省略する。
【０１１１】
第３実施形態の印刷機の空調システムは、図１４に示すように、駆動モータ１１１，１１２，１１３，１１４と、この駆動モータ１１１，１１２，１１３，１１４の外周部に設けられる空気流路１２６（図１１参照）と、空気流路１２６に冷却空気を流すファン１２８（図１１参照）と、空気を所定の温度に調節する空調装置１３１と、空調装置１３１により温度調節された冷却空気をファン１２８に導く給気ダクト１３２とを有している。
【０１１２】
また、本実施形態の印刷機の空調システムは、駆動モータ１１１，１１２，１１３，１１４を冷却した冷却空気を印刷機収容空間部Ｓ１に導入する冷却空気導入管１４１が設けられると共に、印刷機収容空間部Ｓ１の冷却空気を外部に排出する排出装置１７１が設けられている。
【０１１３】
即ち、印刷予備機器収容空間部Ｓ３にて、各スタック２２，２４に対応する上部に排気部１５２，１５３が設けられている。また、印刷ユニットＵ１，Ｕ２の間に排気ダクト１７２が上下方向に沿って設けられ、排気部１５２，１５３と排気ダクト１７２とが連結管１５５，１５６により連結されている。この排気ダクト１７２は、上端部が閉塞され、下端部が印刷機収容空間部Ｓ１のフロアを貫通し、給紙装置Ｒが収容される給紙装置収容空間部Ｓ４に開口している。そして、排気ダクト１７２は下端部にフィルタ１７３が設けられている。
【０１１４】
そのため、ファン１２８が駆動すると、給気ダクト１３２内を流れる冷却空気が吸引されて空気流路１２６に流すことができ、この空気流路１２６を流れる冷却空気をチャンバ１４２から冷却空気導入管１４１を通して印刷機収容空間部Ｓ１に導入することができる。そして、排気部１５２，１５３が駆動すると、その吸引力が印刷予備機器収容空間部Ｓ３に作用し、作業開口部１０７，１０８，１０９，１１０を介して印刷機収容空間部Ｓ１に作用する。すると、印刷機収容空間部Ｓ１の冷却空気が作業開口部１０７，１０８，１０９，１１０を通して印刷予備機器収容空間部Ｓ３に流れ、各排気部１５２，１５３により連結管１５５，１５６から排気ダクト１７２を通して給紙装置収容空間部Ｓ４に吐出される。
【０１１５】
給紙装置収容空間部Ｓ４は、給紙装置Ｒが配置されており、ウェブＷが搬送されることで乾燥している。一方、印刷機収容空間部Ｓ１は、印刷が行われることで、インキや湿し水がミストとして浮遊していることから、空気は湿り気があって高い湿度を有している。そのため、印刷機収容空間部Ｓ１の高い湿度の冷却空気を排気ダクト１７２から給紙装置収容空間部Ｓ４に供給することで、ウェブＷの乾燥による破断が抑制される。また、巻取紙を紙継する際に巻取紙同志を接着する両面テープの乾燥が抑えられるため、印刷運転中に高速で行う紙継動作を確実に実施することができる。また、このとき、冷却空気に含まれるインキミストをフィルタ１７３により除去することで、ウェブＷの汚れが防止される。
【０１１６】
このように第３実施形態の印刷機の空調システムにあっては、排出装置１７１により冷却空気を給紙装置Ｒが収容される給紙装置収容空間部Ｓ４に排出している。
【０１１７】
従って、排気装置１７１により排出された冷却空気は、給紙装置収容空間部Ｓ４に導入されることとなり、給紙装置Ｒにより搬送されるウェブＷの乾燥を抑制してウェブＷの良好な搬送を維持することができる。
【０１１８】
［第４実施形態］
図１５は、第４実施形態の印刷機の空調システムを表す概略図、図１６は、図１５のXVI−XVI断面図である。なお、上述した実施形態と同様の機能を有する部材には、同一の符号を付して詳細な説明は省略する。
【０１１９】
第４実施形態の新聞用オフセット輪転印刷機にて、図１５及び図１６に示すように、折機Ｆは、折ユニットＦ１，Ｆ２とから構成されている。この折ユニットＦ１，Ｆ２は、ほぼ同様の構成をなしている。折ユニットＦ１において、最上部にウェブパスユニットＤ１（図６参照）で所定の順番に重ねられたウェブＷ１を下方に搬入するドラグローラ２０１が設けられると共に、ウェブＷ１を縦折りする三角板２０２が設けられている。三角板２０２の下方に、ウェブＷ１を保持して搬送する折胴２０３と、縦折りされたウェブＷを横裁断してシートの束を形成する鋸胴２０４が対向して配設されている。そして、三角板２０２と折胴２０３及び鋸胴２０４との間に、一対のリードインローラ２０５、ロータリカッタ２０６、一対のニッピングローラ２０７，２０８が設けられている。
【０１２０】
折胴２０３は、図示しないが、その周面に針装置が設けられており、この針装置は、折胴２０３の回転に連動して作動するものであり、折胴２０３における所定の回転位置でウェブＷ１の走行方向における先端部の保持及び解除を行うことができる。鋸胴２０４は、その周面に鋸刃が設けられており、この鋸刃によりウェブＷを横裁断してシートを形成することができる。また、折胴２０３は、その周面に折ブレードが支持されており、この折ブレードが周面から外方に突出することで、鋸刃により裁断されたシートを折胴２０３の周面から引き剥がすことができる。
【０１２１】
折胴２０３は、下方に一対の折込ローラ２０９が設けられており、折ブレードにより折胴２０３の周面から引き剥がされたシートを挟持することで横折して折り目をつけて折帖を形成することができる。折込ローラ２０９は、下方に羽根車２１０が設けられると共に、この羽根車２１０の下方に排紙コンベア２１１，２１２が設けられている。羽根車２１０は、周方向に複数の羽根を有しており、折込ローラ２０９に同期して回転することで、折込ローラ２０９により形成された折帖を各羽根により順次受取って排紙コンベア２１１上に受け渡すことができる。
【０１２２】
そのため、折ユニットＦ１に搬送されたウェブＷ１は、ドラグローラ２０１により搬送され、三角板２０２により縦折りが施された後、リードインローラ２０５、ニッピングローラ１０７，２０８により折胴２０３に送られる。縦折りされたウェブＷ１が折胴２０３に至ると、針装置が作動してウェブＷ１の先端部を保持し、折胴２０３が回転し続けると、ウェブＷ１は折胴２０３の周面に巻き付けられる。そして、折胴２０３における所定の位置で、鋸刃によりウェブＷ１が横裁断されてシートが形成され、折ブレードの先端部が折胴２０３の周面から外方に突出し、シートを折胴２０３の周面から引き剥がす。
【０１２３】
すると、折胴２０３の周面から突出したシートは、長手方向における中間部が折られ、折込ローラ２０９により挟持されることで、横折されて折帖が形成される。そして、この折込ローラ２０９により形成された折帖は、羽根車２１０により順次受け取られ、排紙コンベア２１１上に受け渡されて排紙される。
【０１２４】
なお、折ユニットＦ２は、配置構成が相違するものの、基本的な構成は上述した折ユニットＦ１と同様であることから、同じ符号を付して説明は省略する。
【０１２５】
ところで、このような新聞用オフセット輪転印刷機にて、各折ユニットＦ１，Ｆ２は、前述したように、折胴２０３と鋸胴２０４を有している。そして、各折ユニットＦ１，Ｆ２における折胴２０３と鋸胴２０４は、１個の駆動モータにより駆動する。本実施形態では、本発明の印刷機器を折機Ｆにおける各折ユニットＦ１，Ｆ２の折胴２０３と鋸胴２０４として説明する。
【０１２６】
一対の折機フレーム２２１は、所定間隔を空けて水平方向に対向するように鉛直方向に沿って設けられており、この折機フレーム２２１の間に折機収容空間部Ｓ１１が設けられている。折胴２０３と鋸胴２０４は、この折機収容空間部Ｓ１１に配置され、各胴やローラの支持軸が折機フレーム２２１に回転自在に支持されている。
【０１２７】
折機収容空間部Ｓ１１に対して、一方側（駆動側）の折機フレーム２２１の外側にモータ収容空間部Ｓ１２が設けられている。そして、各折ユニットＦ１，Ｆ２における折胴２０３及び鋸胴２０４に対応して駆動モータ２２２がそれぞれ設けられており、各駆動モータ２２２は、モータ収容空間部Ｓ１２で、折機フレーム２２１に配置されている。この駆動モータ２２２は、駆動力伝達部２３３を介して折胴２０３及び鋸胴２０４を駆動回転可能である。
【０１２８】
駆動モータ２２２は、外周部に空気流路２２３が設けられており、この空気流路２２３の入口部にファン２２４が装着されている。また、駆動モータ２２２は、このファン２２４の空気取込口に紙粉などの浮遊物を除去するフィルタ２２５が設けられている。そのため、ファン２２４が駆動回転することで、フィルタ２２５により異物を除去した空気を取り込み、この空気を冷却空気として空気流路２２３に流すことができる。
【０１２９】
一方、駆動モータ２２２を冷却した冷却空気を折機収容空間部Ｓ１１に導入する冷却空気導入流路としての冷却空気導入管２３１が設けられている。即ち、駆動モータ２２２は、空気流路２２３の出口部にチャンバ２３２が設けられており、冷却空気導入管２３１の基端部がこのチャンバ２３２の上端部に連結されている。折機フレーム２２１は、駆動力伝達部２３３が固定されており、この駆動力伝達部２３３に駆動モータ２２２のチャンバ２３２が固定されている。そして、駆動モータ２２２の回転軸がこの駆動力伝達部２３３に侵入し、図示しないギア列を介して折機収容空間部Ｓ１１内に延出する２本の出力軸２３４に駆動連結されている。各出力軸２３４は、折胴２０３及び鋸胴２０４の支持軸に連結される。
【０１３０】
チャンバ２３２は、空気流路２２３に連通すると共に、上端部に冷却空気導入管２３１の基端部が連結されている。冷却空気導入管２３１は、中途部の２か所がほぼ直角に折曲するＵ字形状をなし、先端部が折機フレーム２２１の作業開口部（図示略）を通して折機収容空間部Ｓ１１側に延出して連通している。そのため、ファン２２４が駆動することで、空気流路２２３を流れる冷却空気をチャンバ２３２から冷却空気導入管２３１を通して折機収容空間部Ｓ１１に導入することができる。なお、図示しないが、折機収容空間部Ｓ１１に導入された冷却空気を外部に排出する排出装置が設けられている。
【０１３１】
また、折機収容空間部Ｓ１１は、下方に回収部２４１，２４２を有する紙粉回収バケット２４３が設けられており、冷却空気と共に下方に移動する紙粉などの異物を受け止める。この紙粉回収バケット２４３は、下部に排出管２４４が連結されており、回収した紙粉などの異物を外部に排出する。
【０１３２】
なお、上述の説明では、ファン２２４の空気取込口にフィルタ２２５を設けたが、この構成に限定されるものではない。図１７は、駆動モータにおける冷却構造の変形例を表す概略図である。
【０１３３】
図１７に示すように、駆動モータ２２２は、外周部に空気流路２２３が設けられており、この空気流路２２３の入口部にファン２２４が装着されている。このファン２２４は、空気流路２２３に冷却空気を流すものであり、冷却空気供給流路として上下方向に沿って配置された給気ダクト２２６と連通管２２７を介して連結されている。なお、給気ダクト２２６は、空調装置１３１（図８参照）が連結されている。
【０１３４】
そのため、図１５及び図１６に示すように、折機Ｆが作動すると、駆動モータ２２２により折胴２０３と鋸胴２０４などが作動することで、走行するウェブＷが横裁断、横折りされることで、折帖が形成される。
【０１３５】
このとき、駆動モータ２２２が駆動すると、各駆動モータ２２２に装着されたファン２２４が駆動し、吸引力がフィルタ２２５に作用する。すると、モータ収容空間部Ｓ１２の空気がフィルタ２２５を通してファン２２４に吸引され、このファン２２４を通して空気流路２２３に流れる。また、図１７に示す構成では、駆動モータ２２２が駆動すると、各駆動モータ２２２に装着されたファン２２４が駆動し、吸引力が連通管２２７を介して給気ダクト２２６に作用する。すると、空調装置１３１から冷却空気供給配管１３３を介して給気ダクト２２６に供給されている冷却空気が連通管２２７を通ってファン２２４に流れ、このファン２２４を通して空気流路２２３に流れる。
【０１３６】
そのため、駆動モータ２２２は、空調装置１３１により温度調節された冷却空気により冷却される。この冷却空気は、インキミストや紙粉などの異物を含んでないことから、空気流路２２３やファン２２４などが汚れることがなく、駆動モータ２２２の冷却性能が長期間にわたって維持される。
【０１３７】
そして、空気流路２２３を流れた冷却空気は、チャンバ２３２に流れ、冷却空気導入管２３１を通して折機収容空間部Ｓ１１に導入される。この折機収容空間部Ｓ１１では、ウェブＷが搬送されて折帖が形成されることから、紙粉が浮遊している。そこで、本実施形態では、駆動モータ２２２を冷却した空気を冷却空気導入管２３１により折機収容空間部Ｓ１１に導入することで、折機収容空間部Ｓ１１に滞留している紙粉などを含む空気が下側に流れて排出される。そのため、紙粉などによる機器やウェブＷの汚れが抑制され、印刷品質が向上する。
【０１３８】
このように第４実施形態の印刷機の空調システムにあっては、印刷機器としての折ユニットＦ１，Ｆ２を駆動する駆動モータ２２２と、駆動モータ２２２の外周部に設けられる空気流路２２３と、空気流路２２３に冷却空気を流すファン２２４と、
折胴２０３と鋸胴２０４が収容される折機収容空間部Ｓ１１に冷却空気を導入する冷却空気導入管２３１を設けている。
【０１３９】
従って、ファン２２４を駆動すると、冷却空気が吸引され、空気流路２２３を流れることで駆動モータ２２２が冷却され、この駆動モータ２２２を冷却した冷却空気が冷却空気導入管２３１により折機収容空間部Ｓ１１に導入されることとなる。すると、折機収容空間部Ｓ１１に導入された冷却空気により、この折機収容空間部Ｓ１１に浮遊する紙粉などの浮遊物がこの冷却空気と共に排除される。その結果、折機収容空間部Ｓ１１で浮遊する紙粉などを適正に排出して印刷障害の発生を防止することができると共に、折機収容空間部Ｓ１１での浮遊物を排除するだめだけの装置などを不要としてコストの増加を抑制することができる。
【０１４０】
第４実施形態の印刷機の空調システムで、空調装置１３１により温度調節された冷却空気をファン２２４に導く給気ダクト２２６を設けている。従って、ファン２２４を駆動すると、冷却空気が給気ダクト２２６を通してファン２２４に導かれ、空気流路２２３を流れることで駆動モータ２２２が冷却される。この駆動モータ２２２の外周部にある空気流路２２３を流れる冷却空気は、きれいな空気であることから、ファン２２４や空気流路２２３に紙粉などの異物を付着させることはない。その結果、折ユニットＦ１，Ｆ２を駆動する駆動モータ２２２を適正に冷却することで性能を向上することができると共に、電力消費量を削減することができる。
【０１４１】
なお、上述した実施形態では、駆動モータとは別の独立駆動するファンを設けたが、駆動モータにより駆動するファンとしてもよい。また、このファンは、駆動モータに隣接して設けてもよいし、離間して設けてもよい。更に、このファンを空気流路の上流側（入口部）に設けたが、下流側（出口部）に設けてもよい。
【０１４２】
また、上述した実施形態では、印刷装置のブランケット胴や折機の折胴及び鋸胴を駆動するモータに適用したが、印刷装置や折機に用いられる別のモータに適用してもよい。更に、印刷装置や折機だけでなく、ウェブパス装置で用いられる駆動ローラなどのモータに適用してもよい。
【０１４３】
また、上述した実施形態では、本発明の印刷機を新聞用オフセット輪転印刷機に適用して説明したが、商業用オフセット輪転印刷機などに適用してもよい。
【符号の説明】
【０１４４】
Ｒ  給紙装置
Ｉ  インフィード装置
Ｕ  印刷装置
Ｄ  ウェブパス装置
Ｆ  折機
３１ａ，３１ｂ，３２ａ，３２ｂ，３３ａ，３３ｂ，３４ａ，３４ｂ  ブランケット胴（印刷機器）
４１ａ，４１ｂ，４２ａ，４２ｂ，４３ａ，４３ｂ，４４ａ，４４ｂ  版胴
５１ａ，５１ｂ，５２ａ，５２ｂ，５３ａ，５３ｂ，５４ａ，５４ｂ  インキ供給装置
６１ａ，６１ｂ，６２ａ，６２ｂ，６３ａ，６３ｂ，６４ａ，６４ｂ  湿し装置
１０１，１０２  印刷機フレーム
１０３，１０４，１０５，１０６，１０７，１０８，１０９，１１０  作業開口部
１１１，１１２，１１３，１１４  駆動モータ
１２５  外筒
１２６  空気流路
１２８，１６６  ファン
１２９  フィルタ
１３０  チャンバ
１３１  空調装置
１３２，１６１  給気ダクト（冷却空気供給流路）
１３４，１６７  連通管
１３５  開閉装置
１４１  冷却空気導入管（冷却空気導入流路）
１４２  チャンバ
１４３  駆動力伝達部
１５１，１７１  排出装置
１５２，１５３  排気部
１５４，１７２  排気ダクト
１７３  フィルタ
２０３  折胴（印刷機器）
２０４  鋸胴（印刷機器）
２２１  折機フレーム
２２２  駆動モータ
２２３  空気流路
２２４  ファン
２２５  フィルタ
２２６  給気ダクト（冷却空気供給流路）
２２７  連通管
２３１  冷却空気導入管（冷却空気導入流路）
２３２  チャンバ
２３３  駆動力伝達部
２３４  紙粉回収バケット
Ｓ１  印刷機収容空間部
Ｓ２  モータ収容空間部
Ｓ３  印刷予備機器収容空間部
Ｓ１１  折機収容空間部
Ｓ１２  モータ収容空間部
【図１】
0006550287.tif 000002
【図２】
0006550287.tif 000003
【図３】
0006550287.tif 000004
【図４】
0006550287.tif 000005
【図５】
0006550287.tif 000006
【図６】
0006550287.tif 000007
【図７】
0006550287.tif 000008
【図８】
0006550287.tif 000009
【図９】
0006550287.tif 000010
【図１０】
0006550287.tif 000011
【図１１】
0006550287.tif 000012
【図１２】
0006550287.tif 000013
【図１３】
0006550287.tif 000014
【図１４】
0006550287.tif 000015
【図１５】
0006550287.tif 000016
【図１６】
0006550287.tif 000017
【図１７】
0006550287.tif 000018